(57)【要約】【課題】データ記録再生装置のタイムシフト再生での、利便性を向上させる。【解決手段】情報記録再生装置１００では、タイムシフト再生動作を自動的に開始するための時刻（再生開始時刻）と、画像を再生することなくハードディスク１２０のタイムシフト領域への録画動作の開始のみを自動的に開始するための時刻（録画開始時刻）をメモリ１０Ａに登録することができる。これにより、録画開始時刻になると、電源をＯＮされてタイムシフト領域への録画動作が開始される。そして、再生開始時刻になると、タイムシフト領域への録画動作が続行されつつ、タイムシフト領域に録画された画像の再生動作が開始される。【選択図】        図１
2004350060.tif 000002
【特許請求の範囲】
【請求項１】
映像データおよび／または音声データを含む番組データを受信し、その記録および／または再生を行なうデータ記録再生装置であって、
前記受信した番組データを記録するデータ記録手段と、
前記記録手段に記録された番組データを再生させる再生手段と、
外部から情報を入力するための入力手段と、
計時機能を有するタイマとを含み、
前記データ記録手段は、前記番組データを一時記録するリングバッファである一時保存領域と、前記番組データを複数記録可能な長期記録する長期保存領域とを備え、
前記データ記録手段および前記再生手段に、少なくとも、前記一時保存領域に番組データを記録するのと同時に当該番組データを再生するタイムシフト再生を実行させる制御手段と、
前記入力手段に入力された、前記タイムシフト再生の開始時間についての情報である再生開始情報を記憶する情報記憶手段とをさらに含み、
前記情報記憶手段は、前記入力手段に入力された、前記一時保存領域への番組データの記録の開始時間についての情報である記録開始情報をさらに記憶し、
前記制御手段は、
前記タイマの計時時間が前記記録開始情報で特定される開始時刻となったときに、前記一時保存領域への番組データの記録を開始させ、
前記タイマの計時時間が前記再生開始情報で特定される開始時刻となったときに、前記記録開始情報で特定される開始時刻となったときに前記一時保存領域に記録した位置から、前記タイムシフト再生を開始させ、
前記情報記憶手段にすでに記憶された前記再生開始情報を表示手段に表示させ、
前記入力手段は、当該表示された再生開始情報が選択されることにより、当該再生開始情報を入力されたものとして受付ける、データ記録再生装置。
【請求項２】
映像データおよび／または音声データを含む番組データを受信し、その記録および／または再生を行なうデータ記録再生装置であって、
前記受信した番組データを記録するデータ記録手段と、
前記記録手段に記録された番組データを再生させる再生手段と、
外部から情報を入力するための入力手段と、
計時機能を有するタイマとを含み、
前記データ記録手段は、前記番組データを一時記録するリングバッファである一時保存領域と、前記番組データを複数記録可能な長期記録する長期保存領域とを備え、
前記データ記録手段および前記再生手段に、少なくとも、前記一時保存領域に番組データを記録するのと同時に当該番組データを再生するタイムシフト再生を実行させる制御手段と、
前記入力手段に入力された、前記タイムシフト再生の開始時間についての情報である再生開始情報を記憶する情報記憶手段とをさらに含み、
前記制御手段は、前記タイマの計時時間が前記再生開始情報で特定される開始時刻となったときに、前記タイムシフト再生を開始させる、データ記録再生装置。
【請求項３】
前記情報記憶手段は、前記入力手段に入力された、前記一時保存領域への番組データの記録の開始時間についての情報である記録開始情報をさらに記憶し、
前記制御手段は、前記タイマの計時時間が前記記録開始情報で特定される開始時刻となったときに、前記一時保存領域への番組データの記録を開始させ、前記タイマの計時時間が前記再生開始情報で特定される開始時刻となったときに、前記タイムシフト再生を開始させる、請求項２に記載のデータ記録再生装置。
【請求項４】
前記制御手段は、前記タイマの計時時間が前記再生開始情報で特定される開始時刻となったときに、前記記録開始情報で特定される開始時刻となったときに前記一時保存領域に記録した位置から、前記タイムシフト再生を開始させる、請求項３に記載のデータ記録再生装置。
【請求項５】
前記制御手段は、前記情報記憶手段にすでに記憶された前記再生開始情報を表示手段に表示させ、
前記入力手段は、当該表示された再生開始情報が選択されることにより、当該再生開始情報を入力されたものとして受付ける、請求項２〜請求項４のいずれかに記載のデータ記録再生装置。
【発明の詳細な説明】
【０００１】
【発明の属する技術分野】
本発明は、データ記録再生装置に関し、特に、映像データおよび／または音声データを含む番組データを受信し、その記録および／または再生を行ない、当該番組データを一時記録する一時保存領域と長期記録する長期保存領域とを備え、さらに、当該一時保存領域に番組データを記録するのと同時に当該番組データを再生するタイムシフト再生が可能なデータ記録再生装置に関する。
【０００２】
【従来の技術】
従来から、上記したようなタイムシフト再生が可能なデータ記録再生装置において、ユーザの利便性を向上させるための技術が種々開示されてきた。
【０００３】
たとえば、特許文献１には、タイムシフトされた番組の表示が開始されたことを検出すると、当該番組に付随している時刻情報やテロップをデータデコード手段に供給しないようにすることにより、ユーザが、タイムシフト再生における時刻情報を現在の時刻情報と勘違いしないようにする技術が開示されている。また、特許文献１には、タイムシフト再生に関するユーザ操作がない限り、過去の選択回数が多いチャンネルの表示用信号をタイムシフト再生する技術が開示されている。
【０００４】
【特許文献１】
特開２００１−３０９２６８公報
【０００５】
【発明が解決しようとする課題】
なお、従来から、さらに、データ記録再生装置のタイムシフト再生に、ユーザの利便性を向上させる機能を付帯させることが望まれていた。
【０００６】
本発明は、かかる実情に鑑み考え出されたものであり、その目的は、データ記録再生装置のタイムシフト再生において、利便性を向上させることである。
【０００７】
【課題を解決するための手段】
本発明のある局面に従ったデータ記録再生装置は、映像データおよび／または音声データを含む番組データを受信し、その記録および／または再生を行なうデータ記録再生装置であって、前記受信した番組データを記録するデータ記録手段と、前記記録手段に記録された番組データを再生させる再生手段と、外部から情報を入力するための入力手段と、計時機能を有するタイマとを含み、前記データ記録手段は、前記番組データを一時記録するリングバッファである一時保存領域と、前記番組データを複数記録可能な長期記録する長期保存領域とを備え、前記データ記録手段および前記再生手段に、少なくとも、前記一時保存領域に番組データを記録するのと同時に当該番組データを再生するタイムシフト再生を実行させる制御手段と、前記入力手段に入力された、前記タイムシフト再生の開始時間についての情報である再生開始情報を記憶する情報記憶手段とをさらに含み、前記情報記憶手段は、前記入力手段に入力された、前記一時保存領域への番組データの記録の開始時間についての情報である記録開始情報をさらに記憶し、前記制御手段は、前記タイマの計時時間が前記記録開始情報で特定される開始時刻となったときに、前記一時保存領域への番組データの記録を開始させ、前記タイマの計時時間が前記再生開始情報で特定される開始時刻となったときに、前記記録開始情報で特定される開始時刻となったときに前記一時保存領域に記録した位置から、前記タイムシフト再生を開始させ、前記情報記憶手段にすでに記憶された前記再生開始情報を表示手段に表示させ、前記入力手段は、当該表示された再生開始情報が選択されることにより、当該再生開始情報を入力されたものとして受付けることを特徴とする。
【０００８】
本発明の他の局面に従ったデータ記録再生装置は、映像データおよび／または音声データを含む番組データを受信し、その記録および／または再生を行なうデータ記録再生装置であって、前記受信した番組データを記録するデータ記録手段と、前記記録手段に記録された番組データを再生させる再生手段と、外部から情報を入力するための入力手段と、計時機能を有するタイマとを含み、前記データ記録手段は、前記番組データを一時記録するリングバッファである一時保存領域と、前記番組データを複数記録可能な長期記録する長期保存領域とを備え、前記データ記録手段および前記再生手段に、少なくとも、前記一時保存領域に番組データを記録するのと同時に当該番組データを再生するタイムシフト再生を実行させる制御手段と、前記入力手段に入力された、前記タイムシフト再生の開始時間についての情報である再生開始情報を記憶する情報記憶手段とをさらに含み、前記制御手段は、前記タイマの計時時間が前記再生開始情報で特定される開始時刻となったときに、前記タイムシフト再生を開始させることを特徴とする。
【０００９】
また、本発明の他の局面に従ったデータ記録再生装置は、前記情報記憶手段は、前記入力手段に入力された、前記一時保存領域への番組データの記録の開始時間についての情報である記録開始情報をさらに記憶し、前記制御手段は、前記タイマの計時時間が前記記録開始情報で特定される開始時刻となったときに、前記一時保存領域への番組データの記録を開始させ、前記タイマの計時時間が前記再生開始情報で特定される開始時刻となったときに、前記タイムシフト再生を開始させることが好ましい。
【００１０】
また、本発明の他の局面に従ったデータ記録再生装置は、前記制御手段は、前記タイマの計時時間が前記再生開始情報で特定される開始時刻となったときに、前記記録開始情報で特定される開始時刻となったときに前記一時保存領域に記録した位置から、前記タイムシフト再生を開始させることが好ましい。
【００１１】
また、本発明の他の局面に従ったデータ記録再生装置は、前記制御手段は、前記情報記憶手段にすでに記憶された前記再生開始情報を表示手段に表示させ、前記入力手段は、当該表示された再生開始情報が選択されることにより、当該再生開始情報を入力されたものとして受付けることが好ましい。
【００１２】
【発明の実施の形態】
以下に、本発明の実施の形態を、図面を参照しつつ詳細に説明する。
【００１３】
［第１の実施の形態］
図１は、本発明のデータ記録再生装置の第１の実施の形態である情報記録再生装置１００の構成を示す図である。
【００１４】
図１において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ（Ｍｏｖｉｎｇ  Ｐｉｃｔｕｒｅ  Ｅｘｐｅｒｔｓ  Ｇｒｏｕｐ）信号を得て、これをＭＰＥＧ信号Ｍ１としてハードディスク装置１２に供給する。また、チューナ１１は、システム制御回路１０からアナログテレビジョン放送（ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式、ＰＡＬ（Ｐｈａｓｅ  Ａｌｔｅｒｎａｔｉｏｎ  ｂｙ  Ｌｉｎｅ）方式、またはＳＥＣＡＭ（ＳＥｑｕｅｎｔｉａｌ  Ｃｏｕｌｅｕｒ  Ａ  Ｍｅｍｏｉｒｅ）方式）のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００１５】
情報記録再生装置１００は、計時機能を有するタイマ２３を備えている。タイマ２３の計時時間を参照することにより、後述するような、設定時刻に自動的にタイムシフト再生を開始させる処理が可能となる。
【００１６】
ハードディスク装置１２は、再生ＭＰＥＧ信号ＲＭをＭＰＥＧデコーダ１７に供給する。ＭＰＥＧデコーダ１７は、ハードディスク装置１２から供給されたＭＰＥＧ信号に対してＭＰＥＧ復号処理を施すことにより、映像信号を得てこれを映像信号ＤＡＶとしてセレクタ１８に供給する。
【００１７】
ＯＳＤ（Ｏｎ  Ｓｃｒｅｅｎ  Ｄｉｓｐｌａｙ）画像生成回路１９は、システム制御回路１０から供給された各種メッセージ表示指令に応じた画像を表示させるべきメッセージ画像信号ＤＣ  を生成し、これをセレクタ１８に供給する。セレクタ１８は、上記映像信号ＤＡＶおよびメッセージ画像信号ＤＣ  の中から、システム制御回路１０から供給された選択信号に応じた方を択一的に選択し、これをディスプレイ装置２００に供給する。
【００１８】
ディスプレイ装置２００は、情報記録再生装置１００から供給された上記映像信号ＤＡＶ、またはメッセージ画像信号ＤＣ  に基づく画像表示を行なう。
【００１９】
操作装置２２は、ユーザからの、放送チャンネル指定操作、録画済み番組指定操作、録画指令操作、再生指令操作、録画停止操作、および、再生停止操作等を受付け、その操作に応じた各種操作信号をシステム制御回路１０に供給する。尚、操作装置２２は、情報記録再生装置１００の筐体とは分離しているリモートコントローラであっても良い。
【００２０】
操作装置２２を用いたユーザによる各種操作に応じて、システム制御回路１０は、情報記録再生装置１００に、録画動作、および、タイムシフト再生動作を実施させることができる。
【００２１】
録画動作は、チューナ１１にて受信された番組を録画するための動作である。この場合、ユーザは、上記操作装置２２を用いて録画指令操作を行なう。このような録画指令操作に応じて、システム制御回路１０は、記録指令信号をハードディスク装置１２に供給する。さらに、システム制御回路１０は、チューナ１１にて受信して得られた上記ＭＰＥＧ信号Ｍ１またはＭ２のビットレートに応じた記録速度信号ＳＷ  を求め、これを内蔵レジスタ（図示略）に記憶させると共に、ライトポジションカウンタに供給する。これにより、ハードディスク装置１２は、ピックアップ装置１２１を備え、上記ＭＰＥＧ信号Ｍ１またはＭ２を上記ライトポジションＷＰにて示されるタイムシフト領域１２０Ａ内の位置から上記記録速度信号ＳＷ  に応じた速度で、ピックアップ装置１２１を用いて、順次記録していく。
【００２２】
タイムシフト再生動作とは、上記したような録画動作と同時に、録画済みの番組の再生を行なう、いわゆるタイムシフト再生を実施するための動作である。この場合、ユーザは、上記操作装置２２を用いて再生指令操作を行なう。
【００２３】
図２に、操作装置２２の平面図を示す。上記した操作装置２２を用いての各操作を、操作装置２２に備えられたキーを用いて説明する。
【００２４】
放送チャンネル指定操作は、０〜９の各数字に対応して設けられたテンキー２２９を用いて行なわれる。
【００２５】
録画済み番組指定操作は、タイムシフト再生動作中に切替えキー２２０が操作されることにより表示される画面（後述するメニュー画面）に対して、テンキー２２９等を用いて番組が特定され、さらに、決定キー２２２が操作されることにより当該特定された番組が指定されることとによって、行なわれる。
【００２６】
録画指令操作は、録画キー２２３が操作されることにより行なわれる。
録画停止操作、および、再生停止操作は、録画動作中または再生動作中に停止キー２２５が操作されることにより行なわれる。
【００２７】
再生指令操作は、録画済み番組指定操作が行なわれている場合に、停止キー２２５が操作されて停止されている再生動作を再開させるために、再生キー２２４が操作されることにより行なわれる。
【００２８】
また、電源キー２２１が操作されることにより、情報記録再生装置１００への電源の投入のＯＮ−ＯＦＦが切替えられる。早送りキー２２８が操作されることにより、録画された画像の再生位置が早送りされ、巻き戻しキー２２７が操作されることにより、録画された画像の再生位置が巻き戻しされる。一時停止キー２２６が操作されることにより、再生中の録画画像の再生動作が一時停止され、また、一時停止中の再生動作が再開される。
【００２９】
図３に、ハードディスク装置１２が備える記録媒体であるハードディスク１２０の記憶領域の内容を模式的に示す。
【００３０】
ハードディスク１２０は、リングバッファであるタイムシフト領域１２０Ａと、情報を長期記録するための録画領域１２０Ｂとを含む。なお、ハードディスク１２０におけるタイムシフト領域１２０Ａと録画領域１２０Ｂの領域の大きさは、たとえば、ユーザにより操作装置２２を介して入力された情報に基づいて決定される。また、ハードディスク１２０において、タイムシフト領域１２０Ａの位置および録画領域１２０Ｂの位置は、システム制御回路１０内のメモリ１０Ａに各領域のアドレスが記録されることにより、管理されている。
【００３１】
図４に、情報記録再生装置１００においてタイムシフト再生が行なわれる際の、ハードディスク１２０における記録位置および再生位置を模式的に示す。
【００３２】
タイムシフト再生では、ハードディスク１２０のタイムシフト領域１２０ＡのライトポイントＷＰに対して録画動作が行なわれ、リードポイントＲＰに対して再生動作が行なわれる。タイムシフト領域１２０Ａは、リングバッファにより構成されるため、タイムシフト再生における録画動作は、タイムシフト領域１２０Ａの最後まで行なわれても、当該タイムシフト領域１２０Ａを繰返し用いるように行なわれる。
【００３３】
図５に、タイムシフト再生動作中に切替えキー２２０が操作されることによりディスプレイ装置２００に表示される画面（メニュー画面）の一例を示す。
【００３４】
メニュー画面２０１内には、情報記録再生装置１００で実行できる動作のメニューが複数表示されている。本実施の形態の情報記録再生装置１００では、表示されたメニューの中の１つである起動時刻設定メニュー２０２を選択することにより、図６に示す設定時刻一覧画面２０３がディスプレイ装置２００に表示される。
【００３５】
設定時刻一覧画面２０３には、５つの「設定時刻」の候補が一覧表示されている。本実施の形態における「設定時刻」とは、情報記録再生装置１００に、当該情報記録再生装置１００への電力の供給およびタイムシフト再生動作を自動的に開始させる時刻である。５つの「設定時刻」は、予めユーザに入力されることによりメモリ１０Ａに格納されており、システム制御回路１０によりディスプレイ装置２００に表示される。
【００３６】
操作装置２２に対して、設定時刻一覧画面２０３に表示された設定時刻の候補の中から１つの設定時刻２０４を選択する操作がなされると、システム制御回路１０は、ディスプレイ装置２００に、図７に示すような時刻設定画面２０５を表示させる。
【００３７】
図７に示された時刻設定画面２０５には、選択された設定時刻２０６が表示されている。ここで、操作装置２２に対して、当該設定時刻２０６を修正するための操作がなされると、当該修正するための操作に応じて、メモリ１０Ａに格納されている当該設定時刻が修正され、また、時刻設定画面２０５に表示されている設定時刻２０６の表示も修正される。そして、設定時刻２０６を５つの設定時刻の候補の中から決定するための操作がなされると、当該決定された設定時刻がメモリ１０Ａにおいて、タイムシフト再生動作等を自動的に開始させるための設定時刻として登録される。
【００３８】
そして、情報記録再生装置１００では、タイマ２３の計時時刻がチェックされ、当該計時時刻がタイムシフト再生動作等を自動的に開始させるために登録された設定時刻となったときに、電源がＯＮされ、タイムシフト再生動作が自動的に開始される。
【００３９】
ここで、設定時刻に自動的にタイムシフト再生動作を開始させるために、システム制御回路１０が実行する処理を、図８に示したそのフローチャートを参照しつつ詳細に説明する。
【００４０】
システム制御回路１０は、情報記録再生装置１００が電源をＯＦＦされている状態にあるとき、まず、Ｓ１０１で、タイマ２３の計時時刻（タイマ時刻）をチェックし、当該タイマ時刻が、メモリ１０Ａにおいてタイムシフト再生動作等を自動的に開始させるために登録されている設定時刻となったか否かを判断し、そのような時刻になっていると判断すればＳ１０３に処理を進め、まだそのような時刻になっていないと判断すればＳ１０２に処理を進める。
【００４１】
Ｓ１０２で、システム制御回路１０は、操作装置２２の電源キー２２１が操作されたか否かを判断し、操作されたと判断すればＳ１０３に処理を進め、操作されていないと判断すればＳ１０１に処理を戻す。
【００４２】
Ｓ１０３で、システム制御回路１０は、情報記録再生装置１００の電源をＯＮして、Ｓ１０４に処理を進める。
【００４３】
Ｓ１０４で、システム制御回路１０は、上記したタイムシフト動作を実行して、Ｓ１０５に処理を進める。
【００４４】
Ｓ１０５で、システム制御回路１０は、電源キー２２１が操作されたか否かを判断し、操作されたと判断すればＳ１１５に処理を進め、操作されていないと判断すればＳ１０６に処理を進める。
【００４５】
Ｓ１１５で、システム制御回路１０は、情報記録再生装置１００の電源をＯＦＦして、Ｓ１０１に処理を戻す。
【００４６】
一方、Ｓ１０６で、システム制御回路１０は、切替えキー２２０が操作されたか否かを判断し、操作されたと判断するとＳ１０７に処理を進め、操作されていないと判断するとＳ１０５に処理を戻す。
【００４７】
Ｓ１０７で、システム制御回路１０は、図５に示したようなメニュー画面２０１を表示させて、Ｓ１０８に処理を進める。
【００４８】
Ｓ１０８で、システム制御回路１０は、メニュー画面２０１内で起動時刻設定メニュー２０２が選択されたか否かを判断する。そして、起動時刻設定メニュー２０２が選択されたと判断するとＳ１０９に処理を進める。一方、起動時刻設定メニュー２０２以外のメニューが選択されたと判断すると、Ｓ１１６で、当該選択されたメニューに応じた処理を実行した後、Ｓ１０４に処理を戻す。
【００４９】
Ｓ１０９で、システム制御回路１０は、図６に示したような設定時刻一覧画面２０３を表示させて、Ｓ１１０に処理を進める。
【００５０】
Ｓ１１０で、システム制御回路１０は、設定時刻一覧画面２０３において表示された設定時刻から特定の設定時刻を選択するための操作がなされたか否かを判断する。そして、そのような操作があったと判断すると、Ｓ１１１に処理を進める。なお、特定の設定時刻を選択するための操作とは、たとえば、各設定時刻が数字に関連られて表示されている場合に、テンキー２２９の中の、設定時刻に対応する数字のキーに対する操作を挙げることができる。
【００５１】
Ｓ１１１では、システム制御回路１０は、図７に示したような時刻設定画面２０５を表示させて、Ｓ１１２に処理を進める。
【００５２】
Ｓ１１２で、システム制御回路１０は、決定キー２２２に対する操作があったか否かを判断する。そして、当該決定キーに対する操作があったと判断すると、Ｓ１１３で、時刻設定画面２０５に表示させている設定時刻を、タイムシフト再生動作等を自動的に開始させるための設定時刻としてメモリ１０Ａに登録して、Ｓ１０４に処理を戻す。また、決定キー２２２ではなく、時刻設定画面２０５に表示されている設定時刻を修正するための操作がなされたと判断すると、Ｓ１１４で、当該操作に応じて、メモリ１０Ａおよび表示画面における設定時刻を修正して、Ｓ１１２に処理を戻す。
【００５３】
［第２の実施の形態］
本発明のデータ記録再生装置の第２の実施の形態である情報記録再生装置は、第１の実施の形態として説明した情報記録再生装置１００に対して、タイムシフト再生動作等を自動的に開始させるためにシステム制御回路１０が実行する処理の内容のみが異なる。つまり、本実施の形態の情報記録再生装置の構成は、情報記録再生装置１００と同様とすることができるため、説明を繰返さない。
【００５４】
本実施の形態の情報記録再生装置では、第１の実施の形態の設定時刻のようなタイムシフト再生動作を自動的に開始するための時刻（以下、「再生開始時刻」と呼ぶ）に加えて、画像を再生することなくタイムシフト領域１２０Ａへの録画動作の開始のみを自動的に開始するための時刻（以下、「録画開始時刻」と呼ぶ）をメモリ１０Ａに記録することができる。このため、本実施の形態の情報記録再生装置では、第１の実施の形態における設定時刻一覧画面２０３の代わりに、図９に示す設定時刻一覧画面２１０を表示させる。
【００５５】
図９に示した設定時刻一覧画面２１０では、設定時刻２１１〜２１５と示した、５つの、録画開始時刻と再生開始時刻の組合せが表示されている。
【００５６】
そして、本実施の形態の情報記録再生装置は、録画開始時刻になると、電源をＯＮされてタイムシフト領域１２０Ａへの録画動作が開始される。そして、再生開始時刻になると、タイムシフト領域１２０Ａへの録画動作が続行されつつタイムシフト領域１２０Ａに録画された画像の再生動作が開始される。つまり、再生開始時刻になると、タイムシフト再生動作が開始されることになる。なお、ここで開始されるタイムシフト再生動作では、録画開始時刻に録画動作が開始された位置から再生が行なわれることが好ましい。
【００５７】
図１０は、本実施の形態において、録画開始時刻に録画動作を自動的に開始させ、かつ、再生開始時刻に自動的にタイムシフト再生動作を開始させるために、システム制御回路１０が実行する処理のフローチャートである。図１０を参照しつつ、本実施の形態のシステム制御回路１０が実行する処理を詳細に説明する。
【００５８】
システム制御回路１０は、情報記録再生装置１００が電源をＯＦＦされている状態にあるとき、まず、Ｓ２０１で、タイマ時刻が、後述する、メモリ１０Ａに登録されている「実際に使用する録画開始時刻」となったか否かを判断する。そして、そのような時刻になっていると判断すればＳ２１７に処理を進め、まだそのような時刻になっていないと判断すればＳ２０２に処理を進める。
【００５９】
Ｓ２０２で、システム制御回路１０は、操作装置２２の電源キー２２１が操作されたか否かを判断し、操作されたと判断すればＳ２０３に処理を進め、操作されていないと判断すればＳ２０１に処理を戻す。
【００６０】
Ｓ２０３で、システム制御回路１０は、情報記録再生装置１００の電源をＯＮして、Ｓ２０４に処理を進める。
【００６１】
一方、Ｓ２１７では、システム制御回路１０は、情報記録再生装置１００の電源をＯＮして、Ｓ２１８に処理を進める。
【００６２】
Ｓ２１８では、システム制御回路１０は、タイムシフト領域１２０Ａにチューナ１１またはＭＰＥＧエンコーダ１４からの画像の録画動作を開始して、Ｓ２１９に処理を進める。
【００６３】
Ｓ２１９で、システム制御回路１０は、タイマ時刻が、後述する、メモリ１０Ａに登録されている「実際に使用する再生開始時刻」となったか否かを判断する。そして、そのような時刻になっていると判断すればＳ２０４に処理を進める。
【００６４】
Ｓ２０４で、システム制御回路１０は、上記したタイムシフト動作を実行して、Ｓ２０５に処理を進める。
【００６５】
Ｓ２０５で、システム制御回路１０は、電源キー２２１が操作されたか否かを判断する。そして、操作されたと判断すれば、Ｓ２１５で情報記録再生装置１００の電源をＯＦＦして、Ｓ２０１に処理を戻す。一方、操作されていないと判断すればＳ２０６に処理を進める。
【００６６】
Ｓ２０６で、システム制御回路１０は、切替えキー２２０が操作されたか否かを判断し、操作されたと判断するとＳ２０７に処理を進め、操作されていないと判断するとＳ２０５に処理を戻す。
【００６７】
Ｓ２０７で、システム制御回路１０は、図５に示したようなメニュー画面２０１を表示させて、Ｓ２０８に処理を進める。
【００６８】
Ｓ２０８で、システム制御回路１０は、メニュー画面２０１内で起動時刻設定メニュー２０２が選択されたか否かを判断する。そして、起動時刻設定メニュー２０２が選択されたと判断するとＳ２０９に処理を進める。一方、起動時刻設定メニュー２０２以外のメニューが選択されたと判断すると、Ｓ２１６で、当該選択されたメニューに応じた処理を実行した後、Ｓ２０４に処理を戻す。
【００６９】
Ｓ２０９で、システム制御回路１０は、図９に示したような設定時刻一覧画面２１０を表示させて、Ｓ２１０に処理を進める。
【００７０】
Ｓ２１０で、システム制御回路１０は、設定時刻一覧画面２１０において表示された設定時刻の組合せ（上記した、録画開始時刻と再生開始時刻の組合せ）から特定の設定時刻の組合せを選択するための操作がなされたか否かを判断する。そして、そのような操作があったと判断すると、Ｓ２１１に処理を進める。なお、特定の設定時刻の組合せを選択するための操作とは、たとえば、各設定時刻の組合せが数字に関連られて表示されている場合に、テンキー２２９の中の、設定時刻の組合せに対応する数字のキーに対する操作を挙げることができる。
【００７１】
Ｓ２１１では、システム制御回路１０は、Ｓ２１０で選択された、録画開始時刻と再生開始時刻の組合せを表示させて、Ｓ２１２に処理を進める。
【００７２】
Ｓ２１２で、システム制御回路１０は、決定キー２２２に対する操作があったか否かを判断する。そして、当該決定キーに対する操作があったと判断すると、Ｓ２１３で、表示させている録画開始時刻と再生開始時刻を、上記した「実際に使用する録画開始時刻」と「実際に使用する録画開始時刻」としてメモリ１０Ａに登録して、Ｓ２０４に処理を戻す。また、決定キー２２２ではなく、表示されている録画開始時刻および／または再生開始時刻を修正するための操作がなされたと判断すると、Ｓ２１４で、当該操作に応じて、メモリ１０Ａおよび表示画面における録画開始時刻および／または再生開始時刻を修正して、Ｓ２１２に処理を戻す。
【００７３】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、単独であっても、可能な限り組合されても、適用可能である。
【００７４】
【発明の効果】
本発明によると、ユーザが入力手段に再生開始情報を入力することにより、当該再生開始情報で特定される時刻に自動的にタイムシフト再生を開始させることができる。これにより、データ記録手段の一時保存領域への番組データの記録と当該番組データの再生とを、所望の時間から自動的に開始させることができるため、ユーザにとって、データ記録再生装置の利便性を向上させることができる。
【００７５】
また、本発明によると、一時保存領域への録画の開始時刻と当該領域に記録された番組データの再生の開始時刻とを、互いに独立させて、設定することができる。したがって、ユーザにとって、さらに、データ記録再生装置の利便性を向上させることができる。
【００７６】
また、本発明によると、一時保存領域への録画をある時刻に開始させた後に、当該領域に記録された番組データの再生を、録画を開始させた位置から、始めさせることができる。これにより、ユーザは、一時保存領域に記録された番組データを、記録された時刻以降に、自動的に再生させることができる。したがって、ユーザにとって、さらに、データ記録再生装置の利便性を向上させることができる。
【００７７】
また、本発明によると、予め記憶された再生開始情報が表示された際に、所望の再生開始情報を選択することにより、再生開示情報を入力できる。つまり、再生開始情報の入力の際の操作が簡略化される。したがって、ユーザにとって、さらに、データ記録再生装置の利便性を向上させることができる。
【図面の簡単な説明】
【図１】本発明のデータ記録再生装置の第１の実施の形態である情報記録再生装置の構成を示す図である。
【図２】図１の情報記録再生装置の操作装置の平面図である。
【図３】図１の情報記録再生装置のハードディスク装置が備える記録媒体であるハードディスクの記憶領域の内容を模式的に示す図である。
【図４】図１の情報記録再生装置においてタイムシフト再生が行なわれる際のハードディスクにおける記録位置および再生位置を模式的に示す図である。
【図５】図１の情報記録再生装置がディスプレイ装置に表示させるメニュー画面の一例を示す図である。
【図６】図１の情報記録再生装置がディスプレイ装置に表示させる設定時刻一覧画面の一例を示す図である。
【図７】図１の情報記録再生装置がディスプレイ装置に表示させる時刻設定画面の一例を示す図である。
【図８】図１の情報記録再生装置のシステム制御回路が、設定時刻に自動的にタイムシフト再生動作を開始させるために実行する処理のフローチャートである。
【図９】本発明のデータ記録再生装置の第２の実施の形態である情報記録再生装置がディスプレイ装置に表示させる時刻設定画面の一例を示す図である。
【図１０】本発明のデータ記録再生装置の第２の実施の形態である情報記録再生装置のシステム制御回路が、録画開始時刻に録画動作を自動的に開始させ、かつ、再生開始時刻に自動的にタイムシフト再生動作を開始させるために実行する処理のフローチャートである。
【符号の説明】
１０  システム制御回路、１０Ａ  メモリ、１１  チューナ、１２  ハードディスク装置、１８  セレクタ、１４  ＭＰＥＧエンコーダ、１７  ＭＰＥＧデコーダ、１９  ＯＳＤ画像生成回路、２２  操作装置、２３  タイマ、１００  情報記録再生装置、１２０  ハードディスク、１２０Ａ  タイムシフト領域、１２０Ｂ  録画領域、２００  ディスプレイ装置、２０１  メニュー画面、２０３，２１０  設定時刻一覧画面、２０５  時刻設定画面、２２０  切替えキー、２２１  電源キー、２２２  決定キー、２２３  録画キー、２２４  再生キー、２２５  停止キー、２２９  テンキー。
【図１】
2004350060.tif 000003
【図２】
2004350060.tif 000004
【図３】
2004350060.tif 000005
【図４】
2004350060.tif 000006
【図５】
2004350060.tif 000007
【図６】
2004350060.tif 000008
【図７】
2004350060.tif 000009
【図８】
2004350060.tif 000010
【図９】
2004350060.tif 000011
【図１０】
2004350060.tif 000012